(57)【要約】  組成物の約０．０５重量％〜約０．４重量％のカチオン性ヒドロキシエチルセルロースポリマーであって、約０．０１〜約０．２０のカチオン電荷の置換度を有するカチオン性ヒドロキシエチルセルロースポリマーと、組成物の約５重量％〜約３０重量％の、少なくとも１種のアニオン性界面活性剤および少なくとも１種の非イオン性界面活性剤を含む界面活性剤と、組成物の約２重量％〜約１５重量％の脂肪酸とを含有する、布地洗浄に有用な水性液体洗濯洗剤組成物。デリケートな布地を手洗いするためのかかる水性液体洗濯洗剤組成物の使用。デリケートな布地を機械洗いするためのかかる水性液体洗濯洗剤組成物の使用であって、該機械洗いがデリケート用の機械設定で行われる使用。【特許請求の範囲】
【請求項１】
布地洗浄に有用な水性液体洗濯洗剤組成物であって、
ａ）前記組成物の０．０５重量％〜０．４重量％、好ましくは０．１重量％〜０．３重量％、より好ましくは０．１５重量％〜０．２重量％のカチオン性ヒドロキシエチルセルロースポリマーであって、０．０１〜０．２０、好ましくは０．０１〜０．１、より好ましくは０．０１〜０．１未満のカチオン電荷の置換度を有するカチオン性ヒドロキシエチルセルロースポリマーと、
ｂ）前記組成物の５重量％〜３０重量％、好ましくは７重量％〜１５重量％の、少なくとも１種のアニオン性界面活性剤および少なくとも１種の非イオン性界面活性剤を含む界面活性剤と、
ｃ）前記組成物の２重量％〜１５重量％、好ましくは２．５重量％〜７重量％の脂肪酸と
を含む、水性液体洗濯洗剤組成物。
【請求項２】
前記カチオン性ヒドロキシエチルセルロースポリマーが２００，０００〜８００，０００の分子量を有する、請求項１に記載の水性液体洗濯洗剤組成物。
【請求項３】
前記組成物が、セルロース分解活性を有する酵素を実質的に含まず、好ましくは蛍光増白剤を実質的に含まない、請求項１または２に記載の水性液体洗濯洗剤組成物。
【請求項４】
前記組成物が不透明化剤をさらに含む、請求項１〜３のいずれか１項に記載の水性液体洗濯洗剤組成物。
【請求項５】
前記アニオン性界面活性剤が、アルキルエトキシレートスルフェートおよび直鎖アルキルベンゼンスルホネートから選択され、好ましくは１２〜１４の鎖長および１〜８のエトキシル化度を有するアルキルエトキシレートスルフェートから選択される、請求項１〜４のいずれか１項に記載の水性液体洗濯洗剤組成物。
【請求項６】
前記組成物が、泡抑制剤をさらに含み、かつ酵素を実質的に含まない、請求項１〜５のいずれか１項に記載の水性液体洗濯洗剤組成物。
【請求項７】
前記組成物が、汚れ放出ポリマー、転染阻害ポリマー、キレート剤、性能向上ポリマー、防腐剤、安定化剤、構造化剤、粘度調整剤、送達粒子を含有する有益剤およびクエン酸から選択される洗濯補助成分をさらに含む、請求項１〜６のいずれか１項に記載の水性液体洗濯洗剤組成物。
【請求項８】
前記組成物が、硬化ヒマシ油から選択される０．０１〜１％の構造化剤をさらに含む、請求項１に記載の水性液体洗濯洗剤組成物。
【請求項９】
前記組成物が、送達粒子を含有する有益剤をさらに含み、前記送達粒子を含有する有益剤が好ましくは香料マイクロカプセルである、請求項１〜８のいずれか１項に記載の水性液体洗濯洗剤組成物。
【請求項１０】
デリケートな布地を手洗いするための、請求項１〜９のいずれか１項に記載の水性液体洗濯洗剤組成物の使用。
【請求項１１】
デリケートな布地を機械洗いするための、請求項１〜９のいずれか１項に記載の水性液体洗濯洗剤組成物の使用であって、前記機械洗いがデリケート用の機械設定で行われる、使用。
【発明の詳細な説明】
【技術分野】
【０００１】
本発明は、繊維製品（例えば、衣類、リネン、布地等）の洗濯のための液体洗濯洗剤組成物におけるカチオン性ヒドロキシエチルセルロースの使用に関する。
【背景技術】
【０００２】
多くの液体洗濯洗剤が、今日の消費者に入手可能である。
【０００３】
カチオン性ヒドロキシエチルセルロースポリマーのようなカチオン性ポリマーは、従来より洗剤組成物、特にシャンプーのようなヘア製品に含有させるために市販されている。最近になって、洗濯された繊維製品に柔軟効果を与えるが、従来の洗濯機サイクル中にあまり沈着しない他の既知の物質の付着を強化するよう、かかるカチオン性ポリマーが重質液体洗濯洗剤内で実験されてきた。
【発明の開示】
【発明が解決しようとする課題】
【０００４】
多くの洗剤が、従来の横軸および／または縦型（vertical access）洗濯機において、十分に土、汚れおよび異臭を除去して、繊維製品（例えば衣料品）を非常に効率的に洗浄するが、柔軟化、色彩保護、布の痛みからの保護、および上質の繊維製品（羊毛および絹など）の穏やかな処理のような、洗濯洗剤および洗浄サイクルを通して得られるさらなる布地ケア効果を消費者に提供するという持続的な要望が存在する。
【０００５】
驚くべきことに、界面活性剤および脂肪酸と組み合わせたかかるカチオン性ポリマーは、選択された水性液体洗濯洗剤組成物に含有された場合、洗濯された繊維製品に布地ケア効果をもたらし得ることがいまや見出された。
【課題を解決するための手段】
【０００６】
本発明は、組成物の約０．０５重量％〜約０．４重量％のカチオン性ヒドロキシエチルセルロースポリマーであって、約０．０１〜約０．２０のカチオン電荷の置換度を有するカチオン性ヒドロキシエチルセルロースポリマーと、組成物の約５重量％〜約３０重量％の、少なくとも１種のアニオン性界面活性剤および少なくとも１種の非イオン性界面活性剤を含む界面活性剤と、組成物の約２重量％〜約１５重量％の脂肪酸とを含む、デリケートな布地の洗浄に有用な水性液体洗濯洗剤組成物に関する。
【０００７】
本発明は、組成物の約０．１５重量％〜約０．２重量％のカチオン性ヒドロキシエチルセルロースポリマーであって、約２００，０００〜約８００，０００の分子量、および約０．０１〜０．２０のカチオン電荷の置換度を有するカチオン性ヒドロキシエチルセルロースポリマーと、組成物の約７重量％〜約１５重量％の、アルキルエトキシレートスルフェート界面活性剤および少なくとも１種の非イオン性界面活性剤を含む界面活性剤と、組成物の約２重量％〜約１０重量％の脂肪酸とを含む、デリケートな布地の洗浄に有用な水性液体洗濯洗剤組成物であって、蛍光増白剤を実質的に含まず、セルロース分解（cellulytic）活性を有する酵素を実質的に含まない組成物にさらに関する。
【０００８】
本発明はまた、該カチオン性ヒドロキシエチルセルロースポリマーが約０．０１〜約０．１のカチオン電荷の置換度を有する上記組成物に関する。
【０００９】
本発明はまた、該カチオン性ヒドロキシエチルセルロースポリマーが約０．０１〜０．１未満のカチオン電荷の置換度を有する上記組成物に関する。
【００１０】
本発明はまた、該カチオン性ヒドロキシエチルセルロースポリマーが、約２００，０００〜約８００，０００の分子量を有する上記組成物に関する。
【００１１】
本発明はまた、セルロース分解（cellulytic）活性を有する酵素を実質的に含まない上記組成物に関する。
【００１２】
本発明はまた、蛍光増白剤を実質的に含まない上記組成物に関する。
【００１３】
本発明はまた、組成物の約０．１重量％〜約０．３重量％のカチオン性ヒドロキシエチルセルロースポリマーを含む上記組成物に関する。
【００１４】
本発明はまた、組成物の約０．１５重量％〜約０．２重量％のカチオン性ヒドロキシエチルセルロースポリマーを含む上記組成物に関する。
【００１５】
本発明はまた、組成物の約７重量％〜約１５重量％の界面活性剤を含む上記組成物に関する。
【００１６】
本発明はまた、組成物の約２．５重量％〜約７重量％の脂肪酸を含む上記組成物に関する。
【００１７】
本発明はまた、不透明化剤をさらに含む上記組成物に関する。
【００１８】
本発明はまた、該アニオン性界面活性剤が、アルキルエトキシレートスルフェートおよび直鎖アルキルベンゼンスルホネートから選択される上記組成物に関する。
【００１９】
本発明はまた、該アニオン性界面活性剤が、約１２〜約１４の鎖長および約１〜約８のエトキシル化度を有するアルキルエトキシレートスルフェートから選択される上記組成物に関する。
【００２０】
本発明はまた、泡抑制剤をさらに含む上記組成物に関する。
【００２１】
本発明はまた、酵素を実質的に含まない上記組成物に関する。
【００２２】
本発明はまた、汚れ放出ポリマー、転染阻害ポリマー、キレート剤、性能向上ポリマー、防腐剤、安定化剤、構造化剤、粘度調整剤、およびクエン酸から選択される洗濯補助成分をさらに含む上記組成物に関する。
【００２３】
本発明はまた、硬化ヒマシ油から選択される約０．０１〜約１％の構造化剤をさらに含む上記組成物に関する。
【００２４】
本発明はさらに、デリケートな布地を手洗いするための上記組成物の使用に関する。
【００２５】
本発明はさらに、デリケートな布地を機械洗いするための上記組成物の使用であって、該機械洗いがデリケート用の機械設定で行われる使用に関する。
【発明を実施するための最良の形態】
【００２６】
「発明を実施するための最良の形態」で引用されるすべての文献は、関連部分において本明細書に参照により組み込まれるが、いずれの文献の引用も、それが本発明に対する先行技術であることを容認するものと解釈されるべきではない。本文書における用語のいずれかの意味または定義が、参照により組み込まれる文献における用語のいずれかの意味または定義と対立する範囲については、本文書におけるその用語に与えられた意味または定義を適用するものとする。
【００２７】
本明細書におけるすべての百分率、比率、および割合は、特に指示がない限り重量基準である。
【００２８】
本発明は、少なくともアニオン性および非イオン性の界面活性剤を含有する界面活性剤と、脂肪酸と、約０．０１〜約０．２０のカチオン電荷の置換度および約２００，０００〜約８００，０００の分子量を有するカチオン性ヒドロキシエチルセルロースポリマーとを含む水性液体洗濯洗剤組成物に関する。
【００２９】
理論に制限されるものではないが、低電荷密度のカチオン性ヒドロキシエチルセルロースポリマーは、洗濯された繊維製品に布地ケア効果と良好な洗浄との両方をもたらすことができる比較的低濃度の界面活性剤（少なくともアニオン性界面活性剤および非イオン性界面活性剤）を含有する液体洗濯洗剤製品の提供において重要であると、現在考えられている。
【００３０】
本発明の組成物および方法は、洗浄を通して、衣類および布地のような繊維製品に柔軟効果とともに良好な洗浄をもたらす低コストな液体洗濯洗剤組成物の提供において有利である。更なる目的および利点は、「発明を実施するための最良の形態」を考慮すれば明らかとなる。
【００３１】
カチオン性ヒドロキシエチルセルロースポリマー
本発明の水性液体洗濯洗剤組成物は、組成物の約０．０５重量％〜約０．４重量％のカチオン性ヒドロキシエチルセルロースポリマーを含有する。一実施形態では、組成物は、組成物の約０．１重量％〜約０．３重量％、或いは約０．１５重量％〜約０．２重量％のカチオン性ヒドロキシエチルセルロースポリマーを含有する。
【００３２】
本明細書で有用なカチオン性ヒドロキシエチルセルロースポリマーは、約０．０１（１００ポリマー反復単位当たり１カチオン電荷）〜約０．２０（１０ポリマー反復単位当たり２カチオン電荷）のカチオン電荷の置換度を有する。好ましくは、本明細書で有用なカチオン性ヒドロキシエチルセルロースポリマーは、約０．０１〜約０．１、より好ましくは０．１未満、一実施形態では約０．０１〜０．１未満のカチオン電荷の置換度を有する。正電荷は、ポリマーの主鎖またはポリマーの側鎖上に存在することができる。
【００３３】
有用なカチオン性ヒドロキシエチルセルロースポリマーとしては、疎水変性されているまたはされていない、約２００，０００〜約８００，０００の分子量を有するものが挙げられる。これらのカチオン性物質は、以下の一般構造式Ｉに対応する、反復置換型の無水グルコース単位を有する。
【化１】
2009532566.tif 000002
式中、Ｒ１、Ｒ２、Ｒ３はそれぞれ独立してＨ、ＣＨ３、Ｃ８〜Ｃ２４アルキル（直鎖または分枝鎖）、
【化２】
2009532566.tif 000003
またはこれらの混合物であり、ｎは約１〜約１０であり、ＲｘはＨ、ＣＨ３、Ｃ８〜Ｃ２４アルキル（直鎖または分枝鎖）、
【化３】
2009532566.tif 000004
またはこれらの混合物であり、Ｚは水溶性アニオン、好ましくは塩素イオンおよび／または臭素イオンであり、Ｒ５はＨ、ＣＨ３、ＣＨ２ＣＨ３、またはこれらの混合物であり、Ｒ７はＣＨ３、ＣＨ２ＣＨ３、フェニル基、Ｃ８〜Ｃ２４アルキル基（直鎖または分枝鎖）、またはこれらの混合物であり、並びに
Ｒ８およびＲ９はそれぞれ独立してＣＨ３、ＣＨ２ＣＨ３、フェニル、またはこれらの混合物であり、
Ｒ４はＨ、
【化４】
2009532566.tif 000005
またはこれらの混合物である［式中、Ｐは（式中、Ｚ’は水溶性アニオン、好ましくは塩素イオン、臭素イオンまたはこれらの混合物であり、ｑは約１〜約１０である）
【化５】
2009532566.tif 000006
のようなカチオン性モノマーのラジカル重合により形成された付加重合体の反復単位である］。
【００３４】
本明細書で有用な水溶性アニオンとしては、Ｃ８〜Ｃ２４アルキルスルフェート、Ｃ８〜Ｃ２４アルキルアルコキシスルフェート、好ましくはアルキルエトキシスルフェート、Ｃ８〜Ｃ２４アルキルスルホネート、Ｃ８〜Ｃ１６アルキルベンゼンスルホネート、キシレンスルホネート、トルエンスルホネート、クメンスルホネート、脂肪族アルキルカルボキシレート、塩素イオン、臭素イオン、またはこれらの混合物が挙げられるが、塩素イオンおよび／または臭素イオンが好ましい。
【００３５】
カチオン性ヒドロキシエチルセルロースは、ポリマー範囲の無水グルコース環上にアルキル置換を有してよい。かかるアルキル置換が存在する場合、アルキル置換は高分子物質のグルコース単位当たり約０％〜５％、より好ましくはグルコース単位当たり約０％〜２％であってよい。
【００３６】
カチオン性セルロースは、周囲温度で水に添加した際に、塊、小塊、または他のアグロメレーションの形成を防ぐために、グリオキシルのようなジアルデヒドによってわずかに架橋してもよい。
【００３７】
同様に、構造式Ｉのカチオン性ヒドロキシエチルセルロースエーテルとしては、市販されており、市販物質の従来の化学修飾により調製できる物質をさらに含むものが挙げられる。本明細書で有用な市販の構造式Ｉ型のセルロースエーテルとしては、ＬＲ４００およびＬＫ４００ポリマー、好ましくはＬＫ４００ポリマーが挙げられ、これらはダウ・ケミカル社（Dow Chemical）により販売されている。
【００３８】
界面活性剤
本発明の水性液体洗濯洗剤製品は、組成物の約５重量％〜約３０重量％の界面活性剤を含む。一実施形態では、本発明の水性液体洗濯洗剤製品は、組成物の約５重量％〜約２０重量％、或いは約７重量％〜約１５重量％の界面活性剤を含む。
【００３９】
本発明の洗剤製品の界面活性剤は、少なくとも１種のアニオン性界面活性剤および少なくとも１種の非イオン性界面活性剤を含む。本発明の洗剤製品は、双極性、両性、若しくはカチオン性などの他の界面活性剤を含んでもよく、またはアニオン性界面活性剤および非イオン性界面活性剤と併用するこれらの種類の適合性混合物を含むことができる。
【００４０】
一実施形態では、アニオン性界面活性剤は、アルキルエトキシレートスルフェートおよび直鎖アルキルベンゼンスルホネートから選択される。別の実施形態では、アニオン性界面活性剤は、約１２〜約１４の鎖長および約１〜約８のエトキシル化度を有するアルキルエトキシレートスルフェートから選択される。
【００４１】
本明細書で有用な洗浄性界面活性剤としては、米国特許第３，６６４，９６１号（１９７２年５月２３日発行、ノリス（Norris））、同第３，９１９，６７８号（１９７５年１２月３０日発行、ラフリン（Laughlin）ら）、同第４，２２２，９０５号（１９８０年９月１６日発行、コックレル（Cockrell））、および同第４，２３９，６５９号（１９８０年１２月１６日発行、マーフィー（Murphy））に記載されるものが挙げられる。
【００４２】
本明細書で用いるのに好適なアニオン性界面活性剤としては、分子構造内に約１０〜約２０個の炭素原子を含有するアルキル基とスルホン酸または硫酸エステル基とを有する有機イオウ反応生成物の、水溶性塩、好ましくは、アルカリ金属塩およびアンモニウム塩が挙げられる。（用語「アルキル」には、アシル基のアルキル部分が含まれる。）この群の合成界面活性剤の例は、ａ）アルキル硫酸ナトリウム、アルキル硫酸カリウム、およびアルキル硫酸アンモニウム、特に、獣脂またはココヤシ油のグリセリドの還元によって生成されるもののような高級アルコール（Ｃ８〜Ｃ１８炭素原子）の硫酸化によって得られるもの、ｂ）アルキルポリエトキシレート硫酸ナトリウム、アルキルポリエトキシレート硫酸カリウム、およびアルキルポリエトキシレート硫酸アンモニウム、特に、アルキル基が１０〜２２個、好ましくは１２〜１８個の炭素原子を含有し、ポリエトキシレート鎖が１〜１５個、好ましくは１〜６個のエトキシレート部分を含有するもの、並びに、ｃ）アルキル基が直鎖または分枝鎖構造中に約９〜約１５個の炭素原子を含有する、アルキルベンゼンスルホン酸ナトリウムおよびアルキルベンゼンスルホン酸カリウム、例えば、米国特許第２，２２０，０９９号および同第２，４７７，３８３号に記載の種類のものである。アルキル基中の平均炭素原子数が約１１〜１３個の、直鎖アルキルベンゼンスルホネート（Ｃ１１〜１３ＬＡＳと略される）もまた有用である。
【００４３】
一実施形態では、本明細書で有用な非イオン性界面活性剤としては、式Ｒ１（ＯＣ２Ｈ４）ｎＯＨ（式中、Ｒ１は、Ｃ１０〜Ｃ１６アルキル基またはＣ８〜Ｃ１２アルキルフェニル基であり、ｎは３〜約８０である）のものが挙げられる。一実施形態では、非イオン性界面活性剤は、アルコール１モル当たり約５〜約２０モルのエチレンオキシドを有するＣ１２〜Ｃ１５アルコールの縮合生成物、例えば、アルコール１モル当たり約６．５モルのエチレンオキシドと縮合したＣ１２〜Ｃ１３アルコールである。
【００４４】
更なる好適な非イオン性界面活性剤としては、以下の式のポリヒドロキシ脂肪酸アミドが挙げられる。
【化６】
2009532566.tif 000007
式中、ＲはＣ９〜１７アルキルまたはアルケニルであり、Ｒ１はメチル基であり、Ｚは還元糖またはそのアルコキシル化誘導体由来のグリシジルである。例としては、Ｎ−メチルＮ−１−デオキシグリシチルココアミドおよびＮ−メチルＮ−１−デオキシグリシチルオレアミドが挙げられる。ポリヒドロキシ脂肪酸アミドの製造方法は既知であり、米国特許第２，９６５，５７６号（ウィルソン（Wilson））および米国特許第２，７０３，７９８号（シュワルツ（Schwartz））に見出すことができ、これらの開示は本明細書に参照により組み込まれる。
【００４５】
脂肪酸
本発明の水性液体洗剤組成物は、組成物の約２重量％〜約１５重量％の脂肪酸を含有する。一実施形態では、該組成物は組成物の約２重量％〜約１０重量％、或いは約２．５重量％〜約７重量％の脂肪酸を含有する。
【００４６】
本明細書で使用する時、「脂肪酸」は、約８〜約２４個の炭素原子、或いは約１２〜約１８個の炭素原子を含有するものを含む種々の脂肪酸を指す。本明細書で有用な脂肪酸としては、飽和および不飽和の両方のもの、並びにこれらの混合物が挙げられる。
【００４７】
蛍光増白剤無添加
一実施形態では、本発明の水性液体洗剤組成物は、蛍光増白剤を実質的に含まない。本明細書で使用する時、「蛍光増白剤を実質的に含まない」とは、水性液体洗剤組成物が０．０００１％未満の蛍光増白剤を含有する、好ましくは検出可能な量の蛍光増白剤を含有しないことを意味する。
【００４８】
セルロース分解（cellulytic）活性を有する酵素
一実施形態では、本発明の水性液体洗剤組成物は、セルロース分解（cellulytic）活性を有する酵素を実質的に含まない。本発明の水性液体洗剤組成物は、セルロース分解（cellulytic）活性を含まない酵素を含んでよい。本明細書で使用する時、「セルロース分解（cellulytic）活性を含む酵素を実質的に含まない」とは、水性液体洗剤組成物が０．００１％未満のセルロース分解（cellulytic）活性を含む酵素を含有する、好ましくは検出可能な量のセルロース分解（cellulytic）活性を含む酵素を含有しないことを意味する。
【００４９】
理論に制限されるものではないが、特定の酵素に存在するセルラーゼは、カチオン性ヒドロキシエチルセルロースポリマー分子を加水分解し、それによりカチオン性ヒドロキシエチルセルロースポリマーに付随する布地ケア効果を無効にすると考えられている。
【００５０】
しかしながら、望ましい場合、組成物が有効量のセルラーゼ阻害剤も含有する限り、セルロース分解（cellulytic）活性を有する酵素を含有する本発明の水性液体洗剤組成物を配合することが可能である。
【００５１】
酵素
本発明の製剤に組み込まれる場合、酵素は「洗浄に有効な量」を提供するのに十分な量で含まれる。「洗浄に有効な量」という用語は、布地のような基材に対して洗浄、染み除去、汚れ除去、漂白、脱臭、または清新感改善効果を生み出すことが可能な任意の量を指す。一実施形態では、本発明の水性液体洗剤組成物は、洗剤組成物１ｇ当たり約５重量ｍｇ以下、より典型的には約０．０１ｍｇ〜約３ｍｇの活性酵素を含有してよい。別の言い方をすれば、本明細書の組成物は、典型的には、組成物の約０．００１重量％〜約５重量％、好ましくは約０．０１重量％〜約１重量％の市販の酵素調製物を含む。プロテアーゼ酵素は、好ましくはかかる市販の調製物中に、組成物１ｇ当たり０．００５〜０．１アンソン単位（ＡＵ）の活性を提供するのに十分な濃度で存在する。高濃縮型の洗剤製剤では、より高い活性レベルが望ましい場合がある。
【００５２】
本明細書で有用な、選択されたプロテアーゼとしては、バチルス・サブチリス（B.subtilis）およびバチルス・リケニフォルミス（B.licheniformis）の特定の株から得られるサブチリシンが挙げられる。好ましいプロテアーゼは、バチルス株から得られ、ｐＨ８〜１２の範囲にわたり最大活性を有し、デンマークのノボ・インダストリーズＡ／Ｓ（Novo Industries A/S）（以下、「ノボ（Novo）」）によって開発され、エスペラーゼ（ESPERASE）（登録商標）として販売されている。この酵素および類似酵素の調製については、英国特許第１，２４３，７８４号（ノボ（Novo））に記載されている。他の好適なプロテアーゼとしては、ノボ（Novo）製のアルカラーゼ（ALCALASE）（登録商標）およびサビナーゼ（SAVINASE）（登録商標）、並びにオランダのインターナショナル・バイオ−シンセティクス社（International Bio-Synthetics, Inc.）製のマキサターゼ（MAXATASE）（登録商標）が挙げられる。望ましい場合、ＷＯ９５０７７９１（プロクター・アンド・ギャンブル（Procter & Gamble））に記載のような、低吸収性および高加水分解性を有するプロテアーゼを、本明細書の組成物に含んでよい。本明細書に好適な、洗剤用の別の組み換えトリプシン様プロテアーゼは、ＷＯ９４２５５８３（ノボ（Novo））に記載されている。
【００５３】
本発明の組成物は、既知のいかなるアミラーゼを含んでもよい。
【００５４】
本明細書に用いるのに好適なリパーゼ酵素としては、英国特許第１，３７２，０３４号に開示されるように、シュードモナス・スタッツェリ（Pseudomonas stutzeri）ＡＴＣＣ１９．１５４のような、シュードモナス（Pseudomonas）群の微生物によって産生されるものが挙げられる。また、特開昭５３−２０４８７号（１９７８年２月２４日公開）に記載のリパーゼも参照のこと。このリパーゼは、天野製薬（Amano Pharmaceutical Co. Ltd.）（日本、名古屋）から、商品名リパーゼＰ「アマノ」または「アマノ−Ｐ」として入手可能である。他の好適な市販のリパーゼとしては、アマノ−ＣＥＳ、クロモバクター・ビスコスム（Chromobacter viscosum）由来のリパーゼ、例えば東洋醸造（日本、田方）製のクロモバクター・ビスコスム（Chromobacter viscosum）変種リポリチカム（lipolyticum）ＮＲＲＬＢ３６７３、米国のＵＳバイオケミカル社（U.S. Biochemical Corp.）およびオランダのジオシンス社（Diosynth Co.）製のクロモバクター・ビスコスム（Chromobacter viscosum）リパーゼ、並びにシュードモナス・グラディオリ（Pseudomonas gladioli）由来のリパーゼが挙げられる。フミコーラ・ラヌギノーサ（Humicola lanuginosa）由来の、ノボ（Novo）から市販されているリポラーゼ（LIPOLASE）（登録商標）酵素（やはり欧州特許第３４１，９４７号を参照のこと）は、本明細書に用いるのに好ましいリパーゼである。
【００５５】
本発明の組成物が適合性酵素を含有する場合、組成物は、有効な酵素安定化系も含有することが好ましい。それ故、本明細書の酵素含有水性液体洗濯洗剤組成物はまた、所望により、約０．００１重量％〜約１０重量％、好ましくは約０．００５重量％〜約８重量％、最も好ましくは約０．０１重量％〜約６重量％の酵素安定化系を含んでもよい。この酵素安定化系は、本明細書で有用な酵素と適合性のいかなる安定化系であることもできる。かかる系は、他の配合活性物質により内在的に提供されてよく、または、例えば酵素の配合者若しくは製造者によって別個に添加されてもよい。かかる安定化系は、例えば、カルシウムイオン、ホウ酸、プロピレングリコール、短鎖カルボン酸、ボロン酸、またはこれらの混合物を含むことができ、洗剤組成物の種類および物理形態に応じて様々な安定化問題に対処するように設計される。セルロース分解（cellulytic）活性を有する酵素が本明細書の水性液体洗濯洗剤組成物に含まれる場合、酵素安定化系はまたセルラーゼ阻害剤をも含むべきである。
【００５６】
ビルダー
組成物はまた、約０．１重量％〜８０重量％のビルダーを含んでもよい。一実施形態では、本発明の組成物は、約１重量％〜２０重量％のビルダー成分を含有する。洗剤ビルダーは、当該技術分野において周知であり、例えばリン酸塩、並びに様々な有機および無機無リンビルダーを含むことができる。
【００５７】
本明細書で有用な水溶性無リン有機ビルダーとしては、様々なアルカリ金属、アンモニウム、並びに置換アンモニウムのポリアセテート、カルボキシレート、ポリカルボキシレート、およびポリヒドロキシスルホネートが挙げられる。ポリアセテートビルダーおよびポリカルボキシレートビルダーの例は、エチレンジアミン四酢酸、ニトリロ三酢酸、オキシジコハク酸、メリト酸、ベンゼンポリカルボン酸、およびクエン酸の、ナトリウム塩、カリウム塩、リチウム塩、アンモニウム塩、および置換アンモニウム塩である。本明細書に用いるのに好適な他のポリカルボキシレートは、米国特許第４，１４４，２２６号（クラッチフィールド（Crutchfield）ら、１９７９年３月１３日発行）および米国特許第４，２４６，４９５号（クラッチフィールドら、１９７９年３月２７日発行）に記載のポリアセタールカルボキシレートである。本明細書で有用なポリカルボキシレートビルダーとしては、オキシジスクシネート、および米国特許第４，６６３，０７１号（ブッシュ（Bush）ら、１９８７年５月５日発行）に記載されるタータラートモノスクシネートとタータラートジスクシネートとの組み合わせを含むエーテルカルボキシレートビルダー組成物が挙げられる。
【００５８】
好適な無リン無機ビルダーの例としては、ケイ酸塩、アルミノケイ酸塩、ホウ酸塩、および炭酸塩が挙げられる。
【００５９】
水性液体洗濯洗剤
本発明の水性液体洗剤組成物は、米国特許第６，２７４，５４０号および同第６，３０６，８１７号、２００１年３月８日公開のＷＩＰＯ公開ＷＯ０１／１６２３７、並びに２００１年３月８日公開のＷＯ０１／１６２６３に開示された方法を含む、任意の既知の方法で作製してよい。
【００６０】
本明細書の洗濯洗剤組成物は、水性液体洗濯洗剤として処方される。それ故、本明細書の洗剤組成物は、液体洗剤組成物の約３重量％〜約９８重量％、或いは約１５重量％〜約９５重量％の水性液体担体、好ましくは水を含む。好ましくは、本発明による液体洗濯組成物は、本発明による水性液体洗剤による好ましい洗浄および布地ケア性能を維持するために、約６〜約１０、より好ましくは約７〜約９の洗浄溶液ｐＨを提供すべきである。必要に応じて、洗浄組成物は、アルカリ化剤、ｐＨ調整剤および／または緩衝剤を含有してよい。
【００６１】
洗濯補助成分
本明細書の洗濯洗剤は、洗濯補助成分をさらに含んでよい。好適な洗濯補助剤は当該技術分野において既知であり、汚れ放出ポリマー、転染阻害ポリマー、キレート剤、性能向上ポリマー、防腐剤、安定化剤、構造化剤、粘度調整剤、クエン酸、および送達粒子を含有する有益剤が挙げられる。
【００６２】
本明細書で有用な送達粒子を含有する有益剤は、コア物質と該コア物質を少なくとも部分的に取り囲む壁物質を含む。本明細書で使用する時、「送達粒子を含有する有益剤」という語句は、（コア物質が香料を含む）香料マイクロカプセルを含む、マイクロカプセルを包含する。本明細書で使用する時、「粒子」、「送達粒子を含有する有益剤」、「カプセル」および「マイクロカプセル」という用語は同義である。
【００６３】
（実施例１〜４）
以下の実施例の水性液体洗剤製剤は、当業者に既知の従来よりの方法および手段により作製することができる。
【表１】
2009532566.tif 000008
【００６４】
本発明の特定の実施形態を説明および記述してきたが、本発明の精神および範囲から逸脱することなく様々なその他の変更および修正を行えることが、当業者には明白であろう。したがって、本発明の範囲内にあるそのような全ての変更および修正を、添付の特許請求の範囲で扱うものとする。
【国際調査報告】
2009532566.tif 000009
2009532566.tif 000010
2009532566.tif 000011